(57)【要約】      （修正有）【課題】簡易な構成で、実際の射法の感覚に近い感覚で練習することができる練習用ユガケを提供する。【解決手段】練習用ユガケ１は、和帽子型の帽子２を備える１本掛け型の練習用ユガケであって、帽子の表面側の面であって、親指が挿入された状態における親指の腹側の位置に対応する位置に取着された土台と、土台の表面側の面に取着された弦枕７と、土台及び弦枕を覆うように、帽子に取着された腹革８と、を備える。土台は、挿入された親指の第１関節を跨ぐように、帽子の親指の末節及び基節に対応する位置に取着されている。また、土台は、平面形状が略矩形状に形成された板形状であり、タンニンなめしが施された牛革からなり、その厚さｔ１は、０．５ｍｍ≦ｔ１≦２ｍｍに設定される。【選択図】図２
0003173388.tif 000002
【実用新案登録請求の範囲】
【請求項１】
和帽子型の帽子を備える１本掛け型の練習用ユガケであって、
前記帽子の表面側の面であって、親指が挿入された状態における前記親指の腹側の位置に対応する位置に取着された土台と、
前記土台の表面側の面に取着された弦枕と、
前記土台及び前記弦枕を覆うように、前記帽子に取着された腹革と、を備えることを特徴とする練習用ユガケ。
【請求項２】
前記土台は、挿入された前記親指の第１関節を跨ぐように、前記帽子の前記親指の末節及び基節に対応する位置に取着されている請求項１記載の練習用ユガケ。
【請求項３】
前記土台は、平面形状が略矩形状に形成された板形状である請求項２記載の練習用ユガケ。
【請求項４】
前記土台は、タンニンなめしが施された牛革からなる請求項３記載の練習用ユガケ。
【請求項５】
前記土台の厚さｔ１は、０．５ｍｍ≦ｔ１≦２ｍｍに設定されている請求項４記載の練習用ユガケ。
【請求項６】
前記帽子は、皮革からなるとともに、前記親指の腹側を覆う腹側部材と、前記親指の背側を覆う背側部材と、を縫合してなり、
前記背側部材は、ユガケの腰、控及び胴と一体形成された一枚の皮革からなる請求項１記載の練習用ユガケ。
【請求項７】
前記帽子は、皮革からなるとともに、前記親指の腹側を覆う腹側部材と、前記親指の背側を覆う背側部材と、を縫合してなり、
前記背側部材は、ユガケの腰、控及び胴と一体形成された一枚の皮革からなる請求項５記載の練習用ユガケ。
【請求項８】
前記弦枕は、タンニンなめしが施された牛革からなる請求項５記載の練習用ユガケ。
【請求項９】
前記弦枕の厚さｔ２は、前記土台の厚さｔ１よりも大きく設定されている請求項８記載の練習用ユガケ。
【請求項１０】
前記弦枕の断面形状は略台形状であり、
前記弦枕の前記親指の基端側の端面と、前記土台の前記弦枕が取着されている面と、がなす角度θは、９０°≦θ≦１３５°に設定されている請求項９記載の練習用ユガケ。
【請求項１１】
前記弦枕は、タンニンなめしが施された牛革からなる請求項６記載の練習用ユガケ。
【請求項１２】
前記弦枕の厚さｔ２は、前記土台の厚さｔ１よりも大きく設定されている請求項１１記載の練習用ユガケ。
【請求項１３】
前記弦枕の断面形状は略台形状であり、
前記弦枕の前記親指の基端側の端面と、前記土台の前記弦枕が取着されている面と、がなす角度θは、９０°≦θ≦１３５°に設定されている請求項１２記載の練習用ユガケ。
【請求項１４】
前記弦枕は、タンニンなめしが施された牛革からなる請求項７記載の練習用ユガケ。
【請求項１５】
前記弦枕の厚さｔ２は、前記土台の厚さｔ１よりも大きく設定されている請求項１４記載の練習用ユガケ。
【請求項１６】
前記弦枕の断面形状は略台形状であり、
前記弦枕の前記親指の基端側の端面と、前記土台の前記弦枕が取着されている面と、がなす角度θは、９０°≦θ≦１３５°に設定されている請求項１５記載の練習用ユガケ。
【請求項１７】
前記土台は、挿入された前記親指の第１関節を跨ぐように、前記帽子の前記親指の末節及び基節に対応する位置に取着されており、
前記土台は、平面形状が略矩形状に形成された板形状であり、
前記土台は、タンニンなめしが施された牛革からなり、
前記土台の厚さｔ１は、０．５ｍｍ≦ｔ１≦２ｍｍに設定されており、
前記帽子は、皮革からなるとともに、前記親指の腹側を覆う腹側部材と、前記親指の背側を覆う背側部材と、を縫合してなり、
前記背側部材は、ユガケの腰、控及び胴と一体形成された一枚の皮革からなり、
前記弦枕は、タンニンなめしが施された牛革からなり、
前記弦枕の厚さｔ２は、前記土台の厚さｔ１よりも大きく設定されており、
前記弦枕の断面形状は略台形状であり、
前記弦枕の前記親指の基端側の端面と、前記土台の前記弦枕が取着されている面と、がなす角度θは、９０°≦θ≦１３５°であり、
前記弦枕は、前記土台の前記親指の先端寄りの位置に取着されている請求項１記載の練習用ユガケ。
【考案の詳細な説明】
【技術分野】
【０００１】
本考案は、練習用ユガケに関する。さらに詳しくは、簡易な構成で、実際の射法の感覚に近い感覚で練習することができる練習用ユガケに関する。
【背景技術】
【０００２】
従来より、弓道の道具として、ユガケが用いられている。ユガケは、弓を引く際の保護具として右手に嵌めて使用されるものである。ユガケは、正式な競技の場では、三つ掛け、四つ掛け、諸掛け等、親指、人差し指及び中指の３本以上の指を覆うものが用いられる。
【０００３】
また、ユガケは、「帽子」と呼ばれる親指に被せる部分の違いによっても分別される。その種類は、比較的柔らかい皮革を縫い合わせて作られた和帽子（柔らか帽子）と呼ばれる種類と、比較的堅い木や動物の角などの材料を指の形状にくり抜いた部材を和帽子に組み合わせた堅帽子と呼ばれる種類と、の２種類であり、現代弓道においては堅帽子型のユガケが一般的である。
堅帽子型のユガケでは、帽子の部分に、弓の弦を引っかけるための弦枕が設けられている。堅帽子型のユガケを用いて弓を引く際には、通常、弦枕に弦を引っかけた状態で、親指を延ばしたまま引くのがよいとされている。
【０００４】
一方、弓道の練習において、弓の撓みの復元力をゴムの弾性力に置き換えたいわゆるゴム弓を用いることが知られている。ゴム弓は種々存在するが、その多くは、正式な弓の長さよりも極めて短い長さの棒状の部材に、帯状、管状等のゴム紐の両端を接続して簡易に構成されたものである（例えば、特許文献１参照）。そして、ゴム弓を用いた練習では、弓の握りの代わりとなる棒状部材と、弦の代わりとなるゴムと、を用いて実際の弓を引く感覚を練習することができる。
【先行技術文献】
【特許文献】
【０００５】
【特許文献１】特開２００７−１５２０５０号公報
【考案の概要】
【考案が解決しようとする課題】
【０００６】
上述のように、ゴム弓は、簡易な構成であり、簡易に用いることのできる優れた練習用具である。しかしながら、ゴム弓を用いた練習は、通常、素手で行われるため、弦枕に弦を引っかけて引く感覚や、弦枕から弦を離す感覚は練習できない。また、素手の場合、親指を曲げてゴムを引っかけたり、親指でゴムを握り込むようにして引いたりなどすることから、堅帽子型のユガケを用いた射法とは異なる射法が習慣づいてしまう、といった問題があった。
【０００７】
本考案は、上記現状に鑑みてなされたものであり、簡易な構成で、実際の射法の感覚に近い感覚で練習することができる練習用ユガケを提供することを目的とする。
【課題を解決するための手段】
【０００８】
本考案は、以下の通りである。
１．和帽子型の帽子を備える１本掛け型の練習用ユガケであって、
前記帽子の表面側の面であって、親指が挿入された状態における前記親指の腹側の位置に対応する位置に取着された土台と、
前記土台の表面側の面に取着された弦枕と、
前記土台及び前記弦枕を覆うように、前記帽子に取着された腹革と、を備えることを特徴とする練習用ユガケ。
２．前記土台は、挿入された前記親指の第１関節を跨ぐように、前記帽子の前記親指の末節及び基節に対応する位置に取着されている上記１．記載の練習用ユガケ。
３．前記土台は、平面形状が略矩形状に形成された板形状である上記２．記載の練習用ユガケ。
４．前記土台は、タンニンなめしが施された牛革からなる上記３．記載の練習用ユガケ。
５．前記土台の厚さｔ１は、０．５ｍｍ≦ｔ１≦２ｍｍに設定されている上記４．記載の練習用ユガケ。
６．前記帽子は、皮革からなるとともに、前記親指の腹側を覆う腹側部材と、前記親指の背側を覆う背側部材と、を縫合してなり、
前記背側部材は、ユガケの腰、控及び胴と一体形成された一枚の皮革からなる上記１．記載の練習用ユガケ。
７．前記帽子は、皮革からなるとともに、前記親指の腹側を覆う腹側部材と、前記親指の背側を覆う背側部材と、を縫合してなり、
前記背側部材は、ユガケの腰、控及び胴と一体形成された一枚の皮革からなる上記５．記載の練習用ユガケ。
８．前記弦枕は、タンニンなめしが施された牛革からなる上記５．記載の練習用ユガケ。
９．前記弦枕の厚さｔ２は、前記土台の厚さｔ１よりも大きく設定されている上記８．記載の練習用ユガケ。
１０．前記弦枕の断面形状は略台形状であり、
前記弦枕の前記親指の基端側の端面と、前記土台の前記弦枕が取着されている面と、がなす角度θは、９０°≦θ≦１３５°に設定されている上記９．記載の練習用ユガケ。
１１．前記弦枕は、タンニンなめしが施された牛革からなる上記６．記載の練習用ユガケ。
１２．前記弦枕の厚さｔ２は、前記土台の厚さｔ１よりも大きく設定されている上記１１．記載の練習用ユガケ。
１３．前記弦枕の断面形状は略台形状であり、
前記弦枕の前記親指の基端側の端面と、前記土台の前記弦枕が取着されている面と、がなす角度θは、９０°≦θ≦１３５°に設定されている上記１２．記載の練習用ユガケ。
１４．前記弦枕は、タンニンなめしが施された牛革からなる上記７．記載の練習用ユガケ。
１５．前記弦枕の厚さｔ２は、前記土台の厚さｔ１よりも大きく設定されている上記１４．記載の練習用ユガケ。
１６．前記弦枕の断面形状は略台形状であり、
前記弦枕の前記親指の基端側の端面と、前記土台の前記弦枕が取着されている面と、がなす角度θは、９０°≦θ≦１３５°に設定されている上記１５．記載の練習用ユガケ。
１７．前記土台は、挿入された前記親指の第１関節を跨ぐように、前記帽子の前記親指の末節及び基節に対応する位置に取着されており、
前記土台は、平面形状が略矩形状に形成された板形状であり、
前記土台は、タンニンなめしが施された牛革からなり、
前記土台の厚さｔ１は、０．５ｍｍ≦ｔ１≦２ｍｍに設定されており、
前記帽子は、皮革からなるとともに、前記親指の腹側を覆う腹側部材と、前記親指の背側を覆う背側部材と、を縫合してなり、
前記背側部材は、ユガケの腰、控及び胴と一体形成された一枚の皮革からなり、
前記弦枕は、タンニンなめしが施された牛革からなり、
前記弦枕の厚さｔ２は、前記土台の厚さｔ１よりも大きく設定されており、
前記弦枕の断面形状は略台形状であり、
前記弦枕の前記親指の基端側の端面と、前記土台の前記弦枕が取着されている面と、がなす角度θは、９０°≦θ≦１３５°であり、
前記弦枕は、前記土台の前記親指の先端寄りの位置に取着されている上記１．記載の練習用ユガケ。
【考案の効果】
【０００９】
本考案の練習用ユガケは、和帽子型の帽子を備える１本掛け型の練習用ユガケである。練習用ユガケは、帽子の表面側の面であって、親指が挿入された状態における親指の腹側の位置に対応する位置に取着された土台と、土台の表面側の面に取着された弦枕と、土台及び弦枕を覆うように、帽子に取着された腹革と、を備える、という簡易な構成である。そして、このような簡易な構成でありながら、実際の射法の感覚に近い感覚で練習することができる。
【００１０】
また、前記土台が、挿入された前記親指の第１関節を跨ぐように、前記帽子の前記親指の末節及び基節に対応する位置に取着されている場合は、土台により、帽子に挿入された親指の曲げが抑制され、実際の射法と同様に、親指を伸ばした状態で練習することができる。
【００１１】
更に、前記土台が、平面形状が略矩形状に形成された板形状である場合は、簡易な構成の土台とすることができる。
【００１２】
また、前記土台が、タンニンなめしが施された牛革からなる場合は、耐久性を備えた土台とすることができる。
【００１３】
更に、前記土台の厚さｔ１が、０．５ｍｍ≦ｔ１≦２ｍｍに設定されている場合は、適度な可撓性と耐久性を兼ね備えた土台とすることができる。
【００１４】
また、前記帽子が、皮革からなるとともに、前記親指の腹側を覆う腹側部材と、前記親指の背側を覆う背側部材と、を縫合してなり、前記背側部材は、ユガケの腰、控及び胴と一体形成された一枚の皮革からなる場合は、簡易な構成のユガケとすることができる。
【００１５】
更に、前記弦枕が、タンニンなめしが施された牛革からなる場合は、耐久性を備えた弦枕とすることができる。
【００１６】
また、前記弦枕の厚さｔ２が、前記土台の厚さｔ１よりも大きく設定されている場合は、弦を引っかけるのに好適な段差を形成することができる。
【００１７】
更に、前記弦枕の断面形状が略台形状であり、前記弦枕の前記親指の基端側の端面と、前記土台の前記弦枕が取着されている面と、がなす角度θが、９０°≦θ≦１３５°に設定されている場合は、弦を引っかけるのに好適且つ弦の離れが好適な段差を形成することができる。
【００１８】
また、前記弦枕が、前記土台の前記親指の先端寄りの位置に取着されている場合は、安定して弦を引っかけることができる。
【図面の簡単な説明】
【００１９】
【図１】実施例に係る練習用ユガケの全体斜視図である。
【図２】実施例に係る練習用ユガケの平面図である。
【図３】図２のＩ−Ｉ線断面図である。
【考案を実施するための形態】
【００２０】
本実施形態に係る練習用ユガケは、和帽子型の帽子を備える１本掛け型の練習用ユガケである。
練習用ユガケは、帽子の表面側の面であって、親指が挿入された状態における親指の腹側の位置に対応する位置に取着された土台と、土台の表面側の面に取着された弦枕と、土台及び弦枕を覆うように帽子に取着された腹革と、を備えることを特徴とする（例えば、図１等参照）。なお、本考案において、上記「帽子」とは、親指が挿入される部分を指す。また、「和帽子型の帽子」とは、比較的柔らかい材料で形成されている帽子を意図している。即ち、和帽子型の帽子とは、木や動物の角などの比較的堅い材料を指の形状にくり抜いた堅帽子に用いる部材を用いない帽子全般を意図している。また、上記「１本掛け型」のユガケとは、親指以外の指が覆われないユガケを意図している。
【００２１】
上記「帽子」は、例えば、鹿革、牛革、豚革、馬革、羊革、カンガルー革等の皮革や、合成皮革、人工皮革等からなることができる。また、これら皮革を２種以上重ね合わせたり、継ぎ合わせたり等、組み合わせて用いることができる。皮革には、タンニンなめし、クロムなめし、アルデヒドなめし等のなめし加工が施されていることができる。また、これらなめし加工は、２種以上のなめし加工を組み合わせたものでもよい。
【００２２】
上記帽子は、例えば、上記皮革からなるとともに、親指の腹側を覆う腹側部材と、親指の背側を覆う背側部材と、を縫合してなることができる（例えば、図１、図３等参照）。この場合、上記背側部材は、例えば、ユガケの腰（親指の基端側を覆う部分）、控（腰よりも手首側を覆う部分）及び胴（手の甲及び手首を覆う部分）と一体の皮革で形成されていることができる（例えば、図１、図２等参照）。
【００２３】
上記「土台」は、弓を引く際の親指の曲がりを抑制するために設けられるものであるが、適度な可撓性を有していることが好ましい。この土台の大きさ、形状、材質等は特に問わない。土台の材質としては、例えば、牛革、鹿革、豚革、馬革、羊革、カンガルー革等の皮革や、合成皮革、人工皮革、木、樹脂、金属等であることができる。土台の材質が皮革である場合、皮革には、タンニンなめし、クロムなめし、アルデヒドなめし等のなめし加工が施されていることができる。また、これらなめし加工は、２種以上のなめし加工を組み合わせたものでもよい。
【００２４】
上記土台の帽子への取着形態としては、例えば、接着剤による接着や、縫製等による取着形態であることができる。また、これらの取着形態を組み合わせた形態であってもよい。
【００２５】
上記土台は、例えば、挿入された親指の第１関節を跨ぐように、帽子の親指の末節（指の先端側の節）及び基節（指の基端側の節）に対応する位置に取着されていることができる（例えば、図３等参照）。
また、上記土台は、例えば、平面形状が略矩形状、略長円形状、略楕円形状等に形成された板形状であることができる（例えば、図２、図３等参照）。土台の厚さｔ１としては、例えば、０．５ｍｍ≦ｔ１≦２ｍｍに設定されていることができる（例えば、図３等参照）。
なお、土台は、上述のように、弓を引く際の親指の曲がりを抑制するために設けられているものであるが、曲げることが容易ではない、という程度の可撓性を有していてもよい。また、土台は、弦枕に弦を引っかけた際の弦の張力により容易に変形しない程度以上の堅硬性を有していることが好ましい。これら土台の可撓性及び堅硬性については、土台の材質や厚さｔ１、接着に用いる接着剤の種類や塗布量等を種々変更することにより設定することができる。
【００２６】
上記「弦枕」は、弦を引っかける段差を形成するために設けられる。この弦枕の大きさ、形状、材質等は特に問わない。弦枕の材質としては、例えば、牛革、鹿革、豚革、馬革、羊革、カンガルー革等の皮革や、合成皮革、人工皮革、木、樹脂、金属等であることができる。上記弦枕の材質が皮革である場合、その皮革には、タンニンなめし、クロムなめし、アルデヒドなめし等のなめし加工が施されていることができる。また、これらなめし加工は、２種以上のなめし加工を組み合わせたものでもよい。
【００２７】
上記弦枕の土台への取着形態としては、例えば、接着剤による接着や、縫製等による取着形態であることができる。また、これらの取着形態を組み合わせた形態であってもよい。また、弦枕の土台に対する取着位置も特に問わないが、例えば、土台の表面であって、親指の先端寄りの位置に取着されていることができる（例えば、図２、図３等参照）。
【００２８】
弦枕の断面形状としては、例えば、略台形状（例えば、図３等参照）、略矩形状等を挙げることができる。また、例えば、弦枕の厚さｔ２は、土台の厚さｔ１よりも大きく設定されていることができる。なお、弦枕の厚さｔ２は、適用される弦の太さ、例えば、ゴム弓である場合にはゴム紐の厚さ又は太さ等に応じて適宜設定することができる。
また、この弦枕の親指の基端側の端面と、土台の弦枕が取着されている面と、がなす角度θは、例えば、９０°≦θ≦１３５°に設定されていることができる（例えば、図３等参照）。
【００２９】
上記「腹革」の大きさ、形状、材質等は特に問わない。腹革の材質としては、例えば、牛革、鹿革、豚革、馬革、羊革、カンガルー革等の皮革や、合成皮革、人工皮革等であることができる。また、上記腹革の材質が皮革である場合、その皮革には、タンニンなめし、クロムなめし、アルデヒドなめし等のなめし加工が施されていることができる。また、これらなめし加工は、２種以上のなめし加工を組み合わせたものでもよい。
上記腹革の帽子への取着形態としては、例えば、接着剤による接着や、縫製等による取着形態であることができる。また、これらの取着形態を組み合わせた形態であってもよい。
【００３０】
なお、本実施形態に係る「接着」に用いられる接着剤の種類は特に限定されないが、例えば、酢酸ビニル系接着剤や、シアノアクリレート系接着剤等の接着剤であることができる。酢酸ビニル系接着剤を用いた場合には、接着箇所における素材の柔軟性を阻害しない接着を実現できる。また、シアノアクリレート系接着剤を用いた場合には、接着箇所において素材に更なる堅硬性を付与することができる。
【実施例】
【００３１】
以下、図面を用いて実施例により本考案を具体的に説明する。
（１）練習用ユガケの構成
本実施例に係る練習用ユガケ（以下、単にユガケともいう）１は、図１〜図３に示すように、和帽子型の帽子２を備える１本掛け型のユガケである。帽子２は、鹿革からなるとともに、挿入される親指１００の腹側を覆う腹側部材２１と、親指１００の背側を覆う背側部材２２と、を縫合してなる。帽子２の背側部材２２は、腰部３、控部４及び胴部５と一体に１枚の鹿革で形成されている。腰部３は、一般的なユガケの腰に相当し、親指の基端側の部分を覆う部分である。また、控部４は、一般的なユガケの控に相当し、腰部３よりも手首側の部分を覆う部分である。胴部５は、一般的なユガケの胴に相当し、手の甲及び手首を覆う部分である。
【００３２】
図２及び図３に示すように、帽子２の腹側部材２１の表面側の面には、土台６が取着されている。土台６は、シアノアクリレート系の接着剤による接着により取着されている。土台６は、帽子２に挿入された親指１００の第１関節１０１を跨ぐように、親指の末節１０２及び基節１０３に対応する位置に取着されている。この土台６は、タンニンなめしを施された牛革であり、平面形状が略矩形状の板形状をなしている。本実施例において、図３に示す土台６の厚さｔ１は約１ｍｍに設定されている。このような土台は、挿入された親指１００の曲がりを抑制できるとともに、適度な可撓性を有するものである。
【００３３】
また、図２及び図３に示すように、土台６の表面側の面には弦枕７が取着されている。弦枕７は、シアノアクリレート系の接着剤による接着により土台６に取着されている。弦枕７は、タンニンなめしが施された断面形状が略台形状の牛革からなり、その厚さｔ２は、土台の厚さｔ１よりも大きく設定されている。本実施例において、図３に示す弦枕７の親指基端側の端面と、土台６の表面と、がなす角度θは、約１２０°に設定されている。また、本実施例において、弦枕７は土台６の親指先端寄りの位置に取着されている。
【００３４】
また、帽子２には鹿革からなる腹革８が取着されている。腹革８は、図３に示すように、土台６及び弦枕７を覆うようにして帽子２に取着されている。腹革８の取着には酢酸ビニル系の接着剤が用いられており、腹革８の裏面の略全面が、帽子２の腹側部材２１、土台６及び弦枕７に対して密に接着されている。更に、腹革８の周縁部は腹側部材２１と縫合されている。
【００３５】
また、図１及び図２に示すように、控部４には小紐９が縫製により取着されている。小紐９はユガケ１を手首部分で巻き止めるために設けられている。また、胴部５の控部４側の反対側の端部側には、小紐９を挿通する孔１０が形成されている。ユガケ１を装着する際には、手首に巻き付けた胴部５の上から小紐９を更に巻き付けて固定する。
【００３６】
（２）練習用ユガケの作用効果
次に、上記構成の練習用ユガケ１の作用効果について説明する。
ゴム弓を用いた練習では、左手でゴム弓の棒状部材を握るとともに、右手でゴム紐を引く。練習用ユガケ１には弦枕７が設けられているので、この弦枕７にゴム紐を引っかけて引くことにより、実際の射法の感覚に近い感覚で練習することができる。
【００３７】
また、上記実施例では、土台６が、挿入された親指１００の第１関節１０１を跨ぐように、帽子２の親指１００の末節１０２及び基節１０３に対応する位置に取着されているので、土台６により、帽子２に挿入された親指１００の曲げが抑制され、実際の射法と同様に、親指を伸ばした状態で練習することができる。
【００３８】
更に、上記実施例では、土台６が、平面形状が略矩形状に形成された板形状であるので、簡易な構成の土台とすることができる。
また、上記実施例では、土台６が、タンニンなめしが施された牛革からなり、この土台の厚さｔ１が約１ｍｍに設定されているので、親指の曲がりを抑制できる適度な可撓性と耐久性とを兼ね備えた土台とすることができる。
【００３９】
更に、上記実施例では、帽子２が、鹿革からなるとともに、親指１００の腹側を覆う腹側部材２１と、親指１００の背側を覆う背側部材２２と、を縫合してなり、背側部材２２は、ユガケの腰部３、控部４及び胴部５と一体形成された一枚の皮革からなるので、簡易な構成のユガケとすることができる。
【００４０】
また、上記実施例では、弦枕７が、タンニンなめしが施された牛革からなるので、好適な堅さの弦枕とすることができる。また、弦枕７の厚さｔ２が、土台６の厚さｔ１よりも大きく設定されているので、この弦枕７により、ゴム紐を引っかけるのに好適な段差を形成することができる。
【００４１】
更に、上記実施例では、弦枕７の断面形状が略台形状であり、弦枕７の親指１００の基端側の端面と、土台６の弦枕７が取着されている面と、がなす角度θが、約１２０°に設定されているので、ゴム紐を引っかけるのに好適且つゴム紐の離れが好適な段差を形成することができる。
また、上記実施例では、弦枕７が、土台６の親指１００の先端寄りの位置に取着されているので、安定してゴム紐を引っかけることができる。
【００４２】
なお、本考案においては、上記の具体的な実施例に示すものに限られず、目的、用途に応じて本考案の範囲内で種々変更した実施例とすることができる。即ち、上記実施例では、弦枕７を、土台６の親指１００の先端よりの位置に取着するようにしたが、これに限定されず、例えば、射手の嗜好に応じて、土台のどの位置に取着されていてもよい。また、弦枕７の親指基端側の端面と、土台６の表面と、がなす角度θも同様に、射手の嗜好に応じて設定されればよい。
【００４３】
また、上記実施例では、練習用ユガケ１をゴム弓による練習に用いる場合を説明したが、本考案に係る練習用ユガケはこれに限定されるものではなく、例えば、実際の競技用の弦を用いた練習用弓による練習に用いることができるのはもちろん、競技用の弓による練習に用いることもできる。
【符号の説明】
【００４４】
１；練習用ユガケ、２；帽子、２１；腹側部材、２２；背側部材、３；腰部、４；控部、５；胴部、６；土台、７；弦枕、８；腹革、９；小紐、１０；孔、１００；親指、１０１；親指の第１関節、１０２；親指の末節、１０３；親指の基節、ｔ１；土台の厚さ、ｔ２；弦枕の厚さ、θ；弦枕の親指の基端側の端面と土台の弦枕が取着されている面とのなす角度。
【図１】
0003173388.tif 000003
【図２】
0003173388.tif 000004
【図３】
0003173388.tif 000005